(57)【特許請求の範囲】
【請求項１】
照明光を発生する照明用ランプと、
放熱機能を備え、前記照明用ランプを保持するヒートシンク手段と、
前記ヒートシンク手段に回動可能に設けられた回動部材と、
前記回動部材に設けられた鍵状部材と、
前記回動部材に設けられ、該回動部材を所定の角度で回動させることにより前記鍵状部材を鍵掛け位置と非鍵掛け位置との間で回動可能な把持手段と、
前記ヒートシンク手段が挿入可能な挿入口を有するランプハウス部と、
前記ランプハウス部に設けられ、前記ヒートシンク手段が挿入された状態で、前記ヒートシンク手段と面接触して位置決めすると共に、前記把持手段を操作して前記鍵状部材を鍵掛け位置に位置させたときに該鍵状部材と係合する被鍵状部材と、
前記照明用ランプを交換するためのランプ交換扉と、
前記ランプ交換扉の内側に設けられ、前記鍵状部材が鍵掛け位置で前記被鍵状部材と係合された状態のときにのみ前記把持手段を収納する収納部と、
を備えたことを特徴とする内視鏡用光源装置。
【請求項２】
第１の電極部と第２の電極部を有し、照明光を発生する照明用ランプと、
放熱機能を備え、前記照明用ランプの前記第１の電極部を保持する第１のヒートシンク手段と、
放熱機能を備え、前記照明用ランプの前記第２の電極部を保持する第２のヒートシンク手段と、
前記第１のヒートシンク手段に回動可能に設けられた回動部材と、
前記回動部材に設けられた鍵状部材と、
前記回動部材に設けられ、該回動部材を所定の角度回動させることにより前記鍵状部材を鍵掛け位置と非鍵掛け位置との間で回動可能な把持手段と、
第１および第２のヒートシンク手段からなるヒートシンク部材を挿入可能な挿入口を有するランプハウス部と、
前記ランプハウス部に設けられ、前記ヒートシンク部材が挿入された状態で、前記把持手段を操作して前記鍵状部材を鍵掛け位置に位置させたときに該鍵状部材と係合する被鍵状部材と、
前記照明用ランプを交換するためのランプ交換扉と、
前記ランプ交換扉の内側に設けられ、前記鍵状部材が鍵掛け位置で前記被鍵状部材と係合された状態のときにのみ前記把持手段を収納する収納部と、
を備えたことを特徴とする内視鏡用光源装置。
【請求項３】
第１の電極部と第２の電極部を有し、照明光を発生する照明用ランプと、
放熱機能を備え、前記照明用ランプの前記第１の電極部を保持する第１のヒートシンク手段と、
放熱機能を備え、前記照明用ランプの前記第２の電極部を保持する第２のヒートシンク手段と、
前記第１のヒートシンク手段に回動可能に設けられた第１の回動部材と、
前記第１の回動部材に設けられた第１の鍵状部材と、
前記第１の回動部材に設けられ、該第１の回動部材を所定の角度回動させることにより前記第１の鍵状部材を第１の鍵掛け位置と第１の非鍵掛け位置の間で回動可能な第１の把持手段と、
前記第２のヒートシンク手段に回動可能に設けられた第２の回動部材と、
前記第２の回動部材に設けられた第２の鍵状部材と、
前記第２の回動部材に設けられ、該第２の回動部材を所定の角度回動させることにより前記第２の鍵状部材を第２の鍵掛け位置と第２の非鍵掛け位置の間で回動可能な第２の把持手段と、
第１および第２のヒートシンク手段からなるヒートシンク部材を挿入可能な挿入口を有するランプハウス部と、
前記ランプハウス部に設けられ、該ランプハウス部に前記ヒートシンク部材が挿入されたとき、前記第１のヒートシンク手段と係合して電力を供給する第１の電力供給用電極と、
前記ランプハウス部に設けられ、該ランプハウス部に前記ヒートシンク部材が挿入されたとき、前記第２のヒートシンク手段と係合して電力を供給する第２の電力供給用電極と、
前記ランプハウス部に設けられ、前記ヒートシンク部材が挿入された状態で、前記第１の把持手段を操作して前記第１の鍵状部材を第１の鍵掛け位置に位置させたときに該第１の鍵状部材と係合する第１の被鍵状部材と、
前記ランプハウス部に設けられ、前記ヒートシンク部材が挿入された状態で、前記第２の把持手段を操作して前記第２の鍵状部材を第２の鍵掛け位置に位置させたときに該第２の鍵状部材と係合する第２の被鍵状部材と、
前記照明用ランプを交換するためのランプ交換扉と、
前記ランプ交換扉の内側に設けられ、前記第１および第２の鍵状部材がそれぞれ鍵掛け位置で前記第１および第２の被鍵状部材と係合された状態のときにのみ前記第１および第２の把持手段を収納する収納部と、
を備えたことを特徴とする内視鏡用光源装置。
【請求項４】
前記ランプハウス部の挿入口を形成する底面部と側面部とを有する光学ベース部を備え、
前記ヒートシンク手段は、前記光学ベース部の底面部と側面部との面接触によって位置決めされることを特徴とする請求項１に記載の内視鏡用光源装置。
【請求項５】
前記ランプハウス部の挿入口を形成する底面部と側面部とを有する光学ベース部を備え、
前記第１のヒートシンク手段は、前記光学ベース部の底面部と側面部との面接触によって位置決めされることを特徴とする請求項２または３に記載の内視鏡用光源装置。
【請求項６】
前記ランプハウス部の挿入口を形成する底面部を有する光学ベース部と、前記光学ベース部の底面部に対し前記第１のヒートシンク手段を押さえつけるように付勢する弾性部材とを備え、
前記光学ベース部は、前記第２のヒートシンク手段と干渉しないような形状になされたことを特徴とする請求項２，３または５に記載の内視鏡用光源装置。
【請求項７】
前記ランプハウス部に設けられ、該ランプハウス部に前記ヒートシンク部材が挿入されたとき、前記第１のヒートシンク手段と係合して電力を供給する第１の電力供給用電極と、
前記ランプハウス部に設けられ、該ランプハウス部に前記ヒートシンク部材が挿入されたとき、前記第２のヒートシンク手段と係合して電力を供給する第２の電力供給用電極とを備え、
前記第２のヒートシンク手段は、前記ランプハウス部に固定されずに前記第２の電力供給用電極と接触するように構成されたことを特徴とする請求項２に記載の内視鏡用光源装置。
【発明の詳細な説明】
【０００１】
【発明の属する技術分野】
本発明は内視鏡のライトガイドに照明光を供給する内視鏡用光源装置に関する。
【０００２】
【従来の技術】
体腔内等に挿入され、内視鏡検査を行うための内視鏡に照明光を供給する内視鏡光源装置に使用される光源ランプは、例えば数１００時間程度使用した後に、新しい光源ランプに交換することが必要となる。
【０００３】
このため、通常の内視鏡光源装置では、ランプハウスから光源ランプを取り出して新しい光源ランプに交換できる構造にしている。また、この場合、光源ランプは発光量が大きく、これに伴って多量の熱が発生するので、その熱を有効に放熱するために、光源ランプの陽極及び陰極部分をヒートシンクに取付け、各ヒートシンクにファンからの冷却用空気を吹き付けて放熱する構造が採用される。また、光源ランプの陽極及び陰極部分はヒートシンクを介して光源ランプ点灯用電源回路に接続された電極部材と着脱自在に接続して、点灯電力が供給されるようにしている。
【０００４】
このため、光源ランプを交換する場合、ヒートシンクに取り付けられた光源ランプを取り出して、古い光源ランプを外し、新しい光源ランプをヒートシンクに取り付け、ランプハウス内の所定の位置に装着すると共に、各ヒートシンクを電極部材と接続することが必要となる。
内視鏡光源装置の従来例としては、例えば特願平１１−１３１３８６号の図４及び図５に記載されたもの（特公平７−７０８５０号に相当）がある。
【０００５】
この従来例では、光源ランプの陽極及び陰極にそれぞれ取り付けられる陽極側、陰極側それぞれのヒートシンクに、一方端が円柱状に摘み部、他方端部が雄ネジ部を形成した棒状締結部材を挿通し、ランプハウス内の雌ネジ部を形成した電極部材に対して、摘み部を回すことにより締結および電気的接続を図るようにしている。
ヒートシンクと電極部材との位置決めは、位置決めピンと受け部とによりなされる。
【０００６】
【発明が解決しようとする課題】
上記従来例では、着脱時には摘み部を数回転、回す必要があり、内視鏡用光源装置のランプ交換扉部分を開いて、内部に指を入れて操作する場合、摘み部を数回転、回す作業が困難となり、作業性が悪い。
また、位置決めピンと受け部の寸法精度を非常に高くする必要があり、設計および加工が困難となる。
【０００７】
なお、特願平１１−１３１３８６号に記載の実施の形態では、上記後者の欠点を解消するために、一方のヒートシンクと摘み形状との間に、テーパを設けたブロック材を挟み込み、かつ、該ヒートシンクにもテーパ面を設けている。
【０００８】
また、上記テーパー面の方向に応じて、光学ベースに位置決め突起を設けている。
この先行例でも、着脱時には摘みを数回転回す必要があり、作業性が悪い欠点がある。
【０００９】
従来技術及び先行例共に共通の問題点として、両ヒートシンクが光学ベースに触れる構成では、ランプの軸を水平にすることは困難である（各部品の加工精度や両ヒートシンクの角度ズレ）。この不具合を避ける為には、両ヒートシンクを位置決めピンやコネクタ部で宙に浮かせた状態にする必要があるが、位置決め精度や強度が懸念される。
【００１０】
（発明の目的）
本発明は、上述した点に鑑みてなされたもので、着脱作業性が良く、かつ、位置決め精度が高いヒートシンク構造を備えた内視鏡用光源装置を提供することを目的とする。
【００１１】
【課題を解決するための手段】
本発明による内視鏡用光源装置は、照明光を発生する照明用ランプと、放熱機能を備え前記照明用ランプを保持するヒートシンク手段と、前記ヒートシンク手段に回動可能に設けられた回動部材と、前記回動部材に設けられた鍵状部材と、前記回動部材に設けられ該回動部材を所定の角度で回動させることにより前記鍵状部材を鍵掛け位置と非鍵掛け位置との間で回動可能な把持手段と、前記ヒートシンク手段が挿入可能な挿入口を有するランプハウス部と、前記ランプハウス部に設けられ前記ヒートシンク手段が挿入された状態で前記ヒートシンク手段と面接触して位置決めすると共に前記把持手段を操作して前記鍵状部材を鍵掛け位置に位置させたときに該鍵状部材と係合する被鍵状部材と、前記照明用ランプを交換するためのランプ交換扉と、前記ランプ交換扉の内側に設けられ前記鍵状部材が鍵掛け位置で前記被鍵状部材と係合された状態のときにのみ前記把持手段を収納する収納部とを備えたことを特徴とし、
また、上記内視鏡用光源装置は、前記ランプハウス部の挿入口を形成する底面部と側面部とを有する光学ベース部を備え、前記ヒートシンク手段は、前記光学ベース部の底面部と側面部との面接触によって位置決めされる。
【００１２】
【発明の実施の形態】
以下、図面を参照して本発明の実施の形態を説明する。
（第１の実施の形態）
図１ないし図８は本発明の第１の実施の形態に係り、図１は第１の実施の形態の内視鏡用光源装置の主要部の側面部を示し、図２は陽極側ヒートシンクを所定の装着位置に設定する途中と、装着状態に設定した状態を正面側から見た状態で示し、図３は陰極側ヒートシンクを所定の装着位置に設定する途中と、装着状態に設定した状態を正面側から見た状態で示し、図４は陽極側ヒートシンクの平面図及び陽極側ブロックの正面図を示し、図５はランプ交換扉を示し、図６は陽極側ヒートシンクの正面図、側面図等を示し、図７は陽極側電極ブロックの構造を示し、図８は棒状締結部材を示す。
【００１３】
図１に示すように本発明の第１の実施の形態の内視鏡用光源装置１ではシャーシ２上に、絶縁部材で形成された光学ベース３を取付け、この光学ベース３にランプハウス４を立設し、このランプハウス４内に光源ランプとしてのキセノンランプ５が取り付けられた状態の陽極側ヒートシンク６Ａ及び陰極側ヒートシンク６Ｂが所定の装着位置に着脱自在で装着されるようにしている。
【００１４】
また、円筒形状のキセノンランプ５における発光した光の出射側となる陰極側端面に対向する部分のランプハウス４は開口し、キセノンランプ５の陰極側端面からその前方に出射される照明光路（その光軸を図１では符号Ｏで示す）に沿って配置された集光レンズ、及び図示しない絞りを経て、その前方位置のライトガイドコネクタ受け（或いはスコープ受け）８側にキセノンランプ５の照明光を集光し、このライトガイドコネクタ受け８に着脱自在で装着される内視鏡のライトガイド９の端面に照明光を供給できるようにしている。
【００１５】
なお、シャーシ２の後端は図示しないリアパネルの下端に接続され、このリアパネルの上端にトップカバー１０が接続される。このトップカバー１０の一方の側面には開口が形成され、この開口をランプ交換扉１１（図５参照）で着脱自在で覆うようにしており、このランプ交換扉１１を取り外すことにより、キセノンランプ５が取り付けられた状態の陽極側ヒートシンク６Ａ及び陰極側ヒートシンク６Ｂ（ランプ付きヒートシンク、或いはランプユニットと略記）を、それぞれ棒状締結部材１２を回動操作して図２及び図３に示す陽極側電極ブロック１３Ａと陰極側電極ブロック１３Ｂから取り外したり、逆に取り付けたりができるようにしている。
【００１６】
例えば、図５に示すようにランプハウス４はランプ交換扉１１側の一方の側面（向かって左側面）が開口し、ランプ付きヒートシンクをランプ交換扉１１側からこの開口を通してランプハウス４内に挿脱できるようにしている。このため、図１に示すように光学ベース３には光軸Ｏと直交する方向に陽極側ヒートシンク６Ａの底面部が嵌入し、光軸Ｏと直交する方向に移動自在とするガイド溝３Ａが設けてある。
【００１７】
そして、ガイド溝３Ａによりランプ付きヒートシンクを装着位置側にガイドすると共に、このガイド溝３Ａの底面及びその底面から上方に突出する両壁面（突出面）１４によりランプ付きヒートシンクが光軸Ｏ方向から傾かないように高さ方向の位置決め及び前後方向の位置決めが精度良くできるようにしている。
また、後述するように光学ベース３には光軸Ｏと直交する方向に陰極側ヒートシンク６Ｂの底部と干渉しない切り欠き３Ｂが設けてある。
【００１８】
なお、図５に示すようにランプ交換扉側１１は２箇所のネジ１５を取り外すことにより、このランプ交換扉側１１をトップカバー１０の側面から取り外すことができる。
【００１９】
また、ランプハウス４のランプ交換扉１１側と反対側の右側面付近に図示しないランプ点灯用電源回路の出力端子に接続される接続ケーブルの端子が接続される陽極側及び陰極側電極ブロック１３Ａ，１３Ｂ（図５では１３Ａのみ示すが図２及び図３でそれぞれ示している）が、光学ベース３に位置決め固定して立設している。
【００２０】
例えば陽極側電極ブロック１３Ａは、図４或いは図７に示すように略板形状の部材の上端側をＬ字状に或いは肉厚にして接続ケーブルを接続するための接続部１６を設けている。そして、図２或いは図５に示すようにランプハウス４の切り欠き部にこの接続部１６の上端が露出し、接続ケーブルの端部を接続し易くしている。
なお、接続部１６の内側は切り欠かれてランプハウス４の角部が入り込むようになっている。
【００２１】
図２に示すようにこの陽極側電極ブロック１３Ａは、光学ベース３に設けられた電極ブロック固定用溝部１７にその基端側が挿入され、その際、接続部１６が突出する右側の側面部１８が、溝部１７を構成する一方の壁面に面接触して位置決めされた状態でネジで固定されている。
この場合、溝部１７或いは側面部１８は光軸Ｏと平行である。
【００２２】
また、この陽極側電極ブロック１３Ａには、その中央付近に板面を貫通する孔２１が設けてあり、陽極側ヒートシンク６Ａに回動自在に取り付けた棒状締結部材１２を挿脱できるようにしている。この孔２１は棒状締結部材１２の先端が挿入される側がテーパ状に拡開し、棒状締結部材１２を挿入し易くすると共に、挿入して陽極側電極ブロック１３Ａに固定した場合、棒状締結部材１２に設けた（リング形状で、陽極側ヒートシンク６Ａからの）抜け止めと干渉するのを防止している。
【００２３】
また、この陽極側電極ブロック１３Ａには、孔２１の出口部分に、図４（Ｂ）に示すように棒状締結部材１２を締結固定するための締結バネ２２が２箇所のネジで固定されている。
【００２４】
また、上記陽極側ヒートシンク６Ａは例えば図６に示すように中央部に円筒形状にした円筒部２３にキセノンランプ５の陽極を嵌入して、円筒部２３の長手方向の中央位置付近で半径方向内側に突出させた取付部２４を設けてキセノンランプ５の陽極側の端部を位置決めしてネジ固定できるようにすると共に、この円筒部２３の外周面に例えば放射状に放熱板部２５を突出させ、その先端側を略正方形の枠板２６で連結した枠体構造にしている。なお、各板面は装着した状態では光軸Ｏと平行となる形状にして、光軸Ｏと平行な方向から図示しないファンにより、冷却風を吹き付けて放熱するようにしている。
なお、陽極側ヒートシンク６Ａは熱伝導率が高く、かつ軽量化できると共に、電気伝導率の良好な例えばアルミニュウム等の金属製部材で形成されている。
【００２５】
図２に示すようにまた、この陽極側ヒートシンク６Ａの中央より下側で、光軸Ｏと直交する方向に棒状締結部材１２を通すガイド孔２７が設けてある。また、この陽極側ヒートシンク６Ａにおける棒状締結部材１２の基端側となる面には突起部２８が（ランプ交換扉１１側に）突出され、この突起部２８にもガイト孔２７に連通する孔が設けてある。
【００２６】
そして、このガイド孔２７には円柱形状の棒状締結部材１２が回動自在に挿通されている。この棒状締結部材１２の基端には回動する操作を行う蝶形状の摘み部２９が設けられ、また先端より少し後方位置に抜け止めが設けてある。この棒状締結部材１２の形状を図８に示す。
【００２７】
また、この棒状締結部材１２の先端部には陽極側電極ブロック１３Ａの孔２１の出口部分に臨む締結バネ２２が入り込む締結用溝部３１が設けてある。この溝部３１はスパイラル状に設けてあり、棒状締結部材１２を陽極側電極ブロック１３Ａの孔２１から突出させると、締結バネ２２が入り込み、棒状締結部材１２を９０度回転（回動）することにより、締結バネ２２が深部に食い込み（入り込み）、締結固定できるようになっている。この締結固定状態の陽極側ヒートシンク６Ａと陽極側電極ブロック１３Ａの平面図を図４（Ａ）で示している。
【００２８】
この締結固定状態では、陽極側ヒートシンク６Ａの右側端面が陽極側電極ブロック１３Ａの端面に面接触で当接して、キセノンランプ５の中心軸が光軸Ｏ方向から左右方向にずれないように位置決めできるようにしている。
【００２９】
つまり、本実施の形態では、陽極側ヒートシンク６Ａの底面を光学ベース３のガイド溝３Ａの底面及びその両壁面１４に面接触させることによりキセノンランプ５の中心軸が光軸Ｏ方向と平行で、高さ方向を光軸Ｏと一致させて傾かないようにすると共に、前後方向の位置決めもし、さらに陽極側ヒートシンク６Ａの右側端面が陽極側電極ブロック１３Ａの端面に面接触してキセノンランプ５の中心軸が光軸Ｏ方向から左右方向にずれないように位置決めして、簡単な構造でキセノンランプ５の中心軸が光軸Ｏ方向と一致させる精度の高い位置決め構造を採用している。そして、この光源装置１に装着される内視鏡のライトガイド９の端面に照明光を集光して供給できるようにしている。
【００３０】
一方、陰極側ヒートシンク６Ｂは陽極側ヒートシンク６Ａと類似しているが、図３に示すように略２等分割したヒートシンクの半円筒状のランプ固定用凹部３２にキセノンランプ５を収納し、両側の連結バネ３３及び着脱自在の固定機構３４で固定する構造にしている。また、この陰極側ヒートシンク６Ｂにも棒状締結部材１２を挿通したガイド孔２７が設けてあり、その基端の摘み部２９を操作することにより、その先端の締結用溝部３１を陰極側電極ブロック１３Ｂの孔２１の出口付近に設けた締結バネ２２に締結固定できるようにしている。
【００３１】
また、本実施の形態では、キセノンランプ５を陽極側ヒートシンク６Ａと陰極側ヒートシンク６Ｂとに取り付けた場合、陽極側ヒートシンク６Ａと陰極側ヒートシンク６Ｂとが中心軸の回りの位置決めが完全にされていない状態で取り付けられていても、例えば陽極側ヒートシンク６Ａ側を基準にして位置決めするようにして、中心軸の回りの位置決めが完全でない場合でもそれに影響されることなく精度良く装着できるようにしている。
【００３２】
このため、陰極側ヒートシンク６Ｂを装着位置に挿脱移動する部分の光学ベース３には切り欠き３Ｂが設けてあり、陰極側ヒートシンク６Ｂが最適な位置からずれた状態でキセノンランプ５を固定（保持）している状態でも、光学ベース３底面に当たらない（干渉しない）ようにしている。
【００３３】
つまり、装着位置に締結固定した状態では、陽極側ヒートシンク６Ａはその底面が光学ベース３のガイド溝３Ａの底面に当接しているが、陰極側ヒートシンク６Ｂは光学ベース３から浮き上がった状態で、陰極側電極ブロック６Ｂに締結固定される。
【００３４】
この場合、陰極側ヒートシンク６Ｂの重み等で、陽極側ヒートシンク６Ａに対し陰極側ヒートシンク６Ｂが傾かないように、図２、図４（Ａ）、図５等に示すように陽極側電極ブロック１３Ａに隣接して、板バネ３５が（陽極側ヒートシンク６Ａの装着位置側、つまり）左側に突出するように設けてあると共に、この板バネ３５が突出する位置に対応する部分の陽極側ヒートシンク６Ａの右側面部分は切り欠き（或いは開口）３６が設けてあり、装着状態ではこの切り欠き３６内に板バネ３５が入り込み、その先端側で陽極側ヒートシンク６Ａの切り欠き３６に隣接する底面側枠板３７を下方に押しつけるように付勢するようにして、装着された状態のランプ付きヒートシンクが傾くのを防止している。
【００３５】
また、本実施の形態では、図５に示すようにランプ交換扉１１の内側には、例えば樹脂製の絶縁ブロック３８が設けてあり、この絶縁ブロック３８には棒状締結部材１２を締結状態にした状態の時にのみ、その摘み部２９が収納される収納溝３９が設けてある。
【００３６】
従って、２つの摘み部２９を確実に締結状態に設定していないと、棒状締結部材１２の摘み部２９が収納溝３９に収納できなくなり、このためにランプ交換扉１１も閉じることができないようにしている。
【００３７】
なお、ランプ交換扉１１が（その開口を）閉じるように取り付けられないと、図示しないインタロックスイッチがＯＦＦとなり、光源装置１の電源を投入することができないようにしている。
【００３８】
そして、、不完全な装着状態ではランプ交換扉１１を開口を閉じるように取り付けられないようにして、光源装置１の電源が投入されて使用されることを防止している。
【００３９】
このような構成の内視鏡用光源装置１による動作を以下に説明する。
内視鏡用光源装置１を使用して、キセノンランプ５の寿命となる時間程度、内視鏡検査に使用した場合にはこのキセノンランプ５を新しいものに交換する必要がある。
【００４０】
この場合には、ランプ交換扉１１を開いてランプ付きヒートシンクを取り外しランプ交換扉１１の外に出す。そして、古いキセノンランプ５を陽極側ヒートシンク６Ａ及び陰極側ヒートシンク６Ｂから取り外し、新しいキセノンランプ５を陽極側ヒートシンク６Ａ及び陰極側ヒートシンク６Ｂに取り付ける。
【００４１】
そして、図２（Ａ）に示すように光学ベース３のガイド溝３Ａに沿って陽極側ヒートシンク６Ａを深部側に嵌合挿入する。図２（Ａ）よりもさらに挿入し、その陽極側ヒートシンク６Ａの右側端面が陽極側電極ブロック１３Ａの端面に接触させる。この状態では、棒状締結部材１２の先端の締結用溝部３１に締結バネ２２が入り込んだ状態となり、陽極側ヒートシンク６Ａの突起部２８付近にある棒状締結部材１２の後端の摘み部２９を９０°回転すると、締結用溝部３１と締結バネ２２とが締結固定状態となる。
【００４２】
この状態では陽極側ヒートシンク６Ａの底面及び右側面が光学ベース３と陽極側電極ブロック１３Ａとに面接触し、この面接触により精度の良い位置決め状態で所定の装着位置に固定される。
【００４３】
一方、陰極側ヒートシンク６Ｂも図３に示すように棒状締結部材１２の後端の摘み部２９を９０°回転するのみで陰極側ヒートシンク６Ｂを陰極側電極ブロック１３Ｂに締結固定できる。
【００４４】
この場合、陰極側ヒートシンク６Ｂは光学ベース３に設けた切り欠き３Ｂにより、光学ベース３に接触しない状態で陰極側電極ブロック１３Ｂに締結固定される。
【００４５】
つまり、陰極側ヒートシンク（フロント側ヒートシンク）６Ｂは光学ベース３の切り欠き３Ｂ上で、陰極側電極ブロック１３Ｂに電気的に接続するように締結固定され、キセノンランプ５にぶら下がったような状態となる。
【００４６】
この状態の場合、陰極側ヒートシンク６Ｂの重みなどで位置決め状態が影響されないように装着状態では図３に示すように板バネ３５により陽極側ヒートシンク６Ａの底面側板面３７を下方に押さえつけるように弾性力が作用するようにしている。
【００４７】
従って、装着位置に取り付けるランプ付きヒートシンクの状態が陽極側ヒートシンク６Ａと陰極側ヒートシンク６Ｂとで、キセノンランプ５の中心軸の回りでの位置決めが完全でない状態で、ランプハウス４内に挿入された場合にも、その影響を受けることなく、精度が良い位置決め状態で簡単な作業で装着することができる。
【００４８】
本実施の形態は以下の効果を有する。
本実施の形態によれば、ランプユニットの着脱性が良い。
つまり、棒状締結部材１２の摘み部２９を単に９０゜回転させるだけで、装着状態に締結固定と、締結固定状態を解除できる構造である為、光源装置１の筐体開口部から奥に入り込んだ位置でも容易に着脱作業を行うことが出来る。
【００４９】
また、ランプユニットを高い位置精度で装着状態にできる。
つまり、陽極側ヒートシンク６Ａと電極ブロック１３Ａ、およびこの陽極側ヒートシンク６Ａと光学ベース３とでの広範囲における面接触により、繰り返し着脱を行っても、常に一定の高精度を保つことが出来る。
【００５０】
また、両ヒートシンク６Ａ、６Ｂには、ランプ交換扉１１方向へ突出する取っ手形状の突起部２８を設けることにより、回動する位置をランプ交換扉１１の開口近くに設定でき、更に交換時の作業性を向上させることも出来る。
【００５１】
また、ランプ交換扉１１の内側に、棒状締結部材１２の摘み部２９が正規の位置（ヒートシンク６Ａ、６Ｂが電極ブロック１３Ａ、１３Ｂに対して電気的に取り付けられている位置）にない場合には干渉が起きる様な形状の樹脂ブロック３８を設けておくことにより、不十分な取付け状態でランプ点灯電荷が供給される現象を防ぐことが出来る。
【００５２】
（第２の実施の形態）
次に本発明の第２の実施の形態を図９を参照して説明する。第１の実施の形態ではランプ付きヒートシンク（ランプユニット）は２つの棒状締結部材１２により、それぞれ陽極側及び陰極側電極ブロック１３Ａ、１３Ｂに締結固定する構造にしていたが、本実施の形態では、陽極側ヒートシンク６Ａに設けた棒状締結部材１２を第１の実施の形態と同様に陽極側電極ブロック１３Ａに締結固定することにより、陰極側ヒートシンク６Ｂが陰極側電極ブロック１３Ｂに電気的に接続される構造にしている。
【００５３】
このため、本実施の形態は、図９に示すように陰極側ヒートシンク６Ｂには棒状締結部材１２が設けてなく（このため、ガイド孔２１も設けてない）、陰極側電極ブロック１３Ｂには左側（ランプ交換扉１１側）に突出するように略鍵形状の板バネ４１がその基端をネジ固定して設けられ、陰極側ヒートシンク６Ｂが装着位置に設定されると、この板バネ４１が陰極側電極ブロック１３Ｂの右側側面に当たり、陰極側電極ブロック１３Ｂはこの板バネ４１を介して陰極側ヒートシンク６Ｂと電気的に接続されるようになっている。
【００５４】
本実施の形態によれば、第１の実施の形態と同様の効果を有するとともに、陽極側の棒状締結部材１２のみを操作することにより、ランプユニットの着脱ができるので、より着脱の作業が容易となる。
尚、板バネ４１とその接触部には、電気的なメッキ（金、銀、ロジウム等）を施したり、電気的なメッキを施した板状部材をネジ固定ても良い（導電性が高くなり、且つ耐久性を高くできる）。
【００５５】
（第３の実施の形態）
次に本発明の第３の実施の形態を図１０ないし図１２を参照して説明する。図１０は本発明の第３の実施の形態における棒状締結部材と陽極側電極ブロックによる締結固定機構の主要部を斜視図で示し、図１１は陽極側電極ブロックの形状を示し、図１２は陽極側ヒートシンクの側面図を示す。
【００５６】
本実施の形態は例えば第２の実施の形態と締結固定機構が異なる。
図１２に示すように陽極側電極ブロック１３Ａのガイド孔に挿通して設けた棒状締結部材１２の先端には（図１０にも示す）フック状突起５１が設けられ、一方陽極側電極ブロック１３Ａには図１０及び図１１に示すようにこのフック状突起５１が設けられた棒状締結部材１２の先端側を通すことができる鍵形状の孔５２が設けてある。
【００５７】
また、この陽極側電極ブロック１３Ａの裏面側側面（第１、第２の実施の形態と同じ表現を用いると右側側面）には孔５２から横方向に延びる溝部５３が設けてあり、棒状締結部材１２の先端側をこの孔５２に通した後、９０度回転させることにより、フック状突起５１をこの溝部５３に収納できるようにしている。
【００５８】
また、図１２に示すように棒状締結部材１２の基端側にはコイル形状のバネ５４が設けてあり、このバネ５４により、フック状突起５１を棒状締結部材１２の基端側に移動させるように付勢している。
【００５９】
その他の構成は第２の実施の形態と同様の構成である。
【００６０】
本実施の形態では、装着状態に設定するには、棒状締結部材１２の先端を孔５２に通し、その基端を先端側に（バネ５４の付勢力に抗して）押してフック５１が陽極側電極ブロック１３Ａの孔５１の裏面側より突出させて回動することによりフック５１を締結用の溝部５３に係入でき、その後押すことを止めることにより、バネ５４の付勢力（弾性力）でフック５１を溝部５３底面に押しつけるようにして締結固定する。
また、装着状態から取り外す場合には、上記とは逆の操作を行えば良い。このように回動する際に押しつけることが必要となるが、その他は第２の実施の形態とほぼ同様に９０°回動する操作で着脱することができる。
【００６１】
本実施の形態によれば、第２の実施の形態とほぼ同様の効果を有する。また、第２の実施の形態の場合よりも、締結機構の構造が簡単であり、より低コスト化することができる。
【００６２】
さらに本実施の形態によれば、締結状態の時と締結状態を解除した状態との回動角度を９０°以外に設定することも容易にできる。例えば、溝部５３の形成方向を上方向から４５°の角度に設ければ、単に４５°回動するだけで、装着状態と装着解除状態に設定できる。
【００６３】
なお、出射光が平行光に近いランプを使用する場合には、ランプユニットの前後方向のずれはあまり問題視する必要がない。この場合には光学ベース３による位置決め突起はなくても良い（前後方向に関しては電極プロックとの締結の際の面接触による位置決め程度で良い）。
【００６４】
このように、棒状締結部材１２を回動して締結状態と締結状態を解除した状態とに設定する所定の角度は９０°以外にもできる。この場合、操作性を考慮すると、その角度は１回転以下であることが望ましい。
なお、本発明は上述したヒートシンク形状および冷却風の方向に限定されるものでなく、ヒートシンクの形状及びその冷却風の方向を変更しても良い。
【００６５】
［付記］
１．照明光を発生する照明用ランプと、
放熱機能を備え前記照明用ランプを保持するヒートシンク手段と、
前記ヒートシンク手段に回動可能に設けられた回動部材と、
前記回動部材に設けられた鍵状部材と、
前記回動部材に設けられ、該回動部材を所定の角度で回動させることにより前記鍵状部材を鍵掛け位置と非鍵掛け位置との間で回動可能な把持手段と、
前記ヒートシンク手段が挿入可能な挿入口を有するランプハウス部と、
前記ランプハウス部に設けられ、前記ヒートシンク手段が挿入された状態で、前記ヒートシンク手段と面接触して位置決めすると共に、前記把持手段を操作して前記鍵状部材を鍵掛け位置に位置させたときに該鍵状部材と係合する被鍵状部材と、
を備えたことを特徴とする内視鏡用光源装置。
【００６６】
２．第１の電極部と第２の電極部を有し、照明光を発生する照明用ランプと、
放熱機能を備え、前記照明用ランプの前記第１の電極を保持する第１のヒートシンク手段と、
放熱機能を備え、前記照明用ランプの前記第２の電極を保持する第２のヒートシンク手段と、
前記第１のヒートシンク手段または第２のヒートシンク手段の少なくとも一方に回動可能に設けられた回動部材と、
前記回動部材に設けられた鍵状部材と、
前記回動部材に設けられ、該回動部材を所定の角度回動させることにより前記鍵状部材を鍵掛け位置と非鍵掛け位置との間で回動可能な把持手段と、
第１および第２のヒートシンク手段からなるヒートシンク部材を挿入可能な挿入口を有するランプハウス部と、
前記ランプハウス部に設けられ、前記ヒートシンク部材が挿入された状態で、前記把持手段を操作して前記鍵状部材を鍵掛け位置に位置させたときに該鍵状部材と係合する被鍵状部材と、
を備えたことを特徴とする内視鏡用光源装置。
【００６７】
３．第１の電極部と第２の電極部を有し、照明光を発生する照明用ランプと、
放熱機能を備え、前記照明用ランプの前記第１の電極を保持する第１のヒートシンク手段と、
放熱機能を備え、前記照明用ランプの前記第２の電極を保持する第２のヒートシンク手段と、
前記第１のヒートシンク手段に回動可能に設けられた第１の回動部材と、
前記第１の回動部材に設けられた第１の鍵状部材と、
前記第１の回動部材に設けられ、該第１の回動部材を所定の角度回動させることにより前記第１の鍵状部材を第１の鍵掛け位置と第１の非鍵掛け位置の間で回動可能な第１の把持手段と、
前記第２のヒートシンク手段に回動可能に設けられた第２の回動部材と、
前記第２の回動部材に設けられた第２の鍵状部材と、
前記第２の回動部材に設けられ、該第２の回動部材を所定の角度回動させることにより前記第２の鍵状部材を第２の鍵掛け位置と第２の非鍵掛け位置の間で回動可能な第２の把持手段と、
前記第１および第２のヒートシンク手段からなるヒートシンク部材を挿入可能な挿入口を有するランプハウス部と、
前記ランプハウス部に設けられ、該ランプハウス部に前記ヒートシンク部材が挿入されたとき、前記第１のヒートシンク手段と係合して電力を供給する第１の電力供給用電極と、
前記ランプハウス部に設けられ、前記ランプハウス部に前記ヒートシンク部材が挿入されたとき、前記第２のヒートシンク手段と係合して電力を供給する第２の電力供給用電極と、
前記ランプハウス部に設けられ、前記ヒートシンク部材が挿入された状態で、前記第１の把持手段を操作して前記第１の鍵状部材を第１の鍵掛け位置に位置させたときに該第１の鍵状部材と係合する第１の被鍵状部材と、
前記ランプハウス部に設けられ、前記ヒートシンク部材が挿入された状態で、前記第２の把持手段を操作して前記第２の鍵状部材を第２の鍵掛け位置に位置させたときに該第２の鍵状部材と係合する第２の被鍵状部材と、
を備えたことを特徴とする内視鏡用光源装置。
【００６８】
４．付記１において、前記ヒートシンク手段に面接触する位置決めは、前記ランプハウス部の挿入口を形成する底面部と側面部との面接触による位置決めである。
【００６９】
５．ランプ冷却用ヒートシンクを備えた内視鏡用光源装置に於いて、
陰極側、陽極側の各ヒートシンクに棒状締結部材を回動自在に挿通し、該棒状締結部材の後端を所定角度回転することにより、先端の回動により締結する締結部を筐体内部に設置したランプ点灯用電極を設けた電極ブロックの係合部に締結状態及び締結状態の解除状態に設定可能とする構造としたことを特徴とする内視鏡用光源装置。
【００７０】
６．付記５に於いて、陰極側、陽極側のどちらか一方の電極ブロックを、単に電極に接続する構造とした。
【００７１】
７．付記６に於いて、陽極側、陰極側ヒートシンクの電極ブロックを固定する側には棒状締結部材および所定角度、回転による締結構造を設け、電極ブロックを固定しない側のヒートシンクは筐体内部の電極バネとの接触のみとし、かつ、該ヒートシンクと光学ベースとの間には隙間を設け、かつ、棒状締結部材を設けた側のヒートシンクを光学ベースへ押さえつける弾性部材を設けた。
【００７２】
８．付記５から７に於いて、ランプ交換扉内部に絶縁性（樹脂等）のブロックを設け、該ブロックに、棒状締結部材の摘み部が規定の位置にある時のみ干渉が起きないスリットを設けた。
【００７３】
【発明の効果】
以上説明したように本発明によれば、照明用ランプを保持するヒートシンク手段は、ランプハウス部に対して、面接触により高い位置決め状態で、かつ回動部材を所定角度だけ回動する操作で容易に着脱することができる。また、鍵状部材が鍵掛け位置で被鍵状部材と係合された状態のときにのみ把持手段を収納する収納部がランプ交換扉の内側に設けられているため、確実に係合状態にしないとランプ交換扉を閉じることができず、ランプ交換扉を完全に閉じたときのみ、照明用ランプを保持するヒートシンク手段を確実にランプハウス部に取り付けることができる。
【図面の簡単な説明】
【図１】本発明の第１の実施の形態の内視鏡用光源装置の主要部を一部断面で示す側面図。
【図２】陽極側ヒートシンクを所定の装着位置に設定する途中と、装着状態に設定した状態を正面側から見た状態で示す断面図。
【図３】陰極側ヒートシンクを所定の装着位置に設定する途中と、装着状態に設定した状態を正面側から見た状態で示す断面図。
【図４】陽極側ヒートシンクの平面図及び陽極側ブロックの正面図。
【図５】ランプ交換扉を平面図、正面図、及び側面断面で示す図。
【図６】陽極側ヒートシンクの左側面図、正面図、右側面図及びＡ−Ａ線の断面で一部を切り欠いて示す図。
【図７】陽極側電極ブロックの構造を平面図、正面図及び側面図で示す図。
【図８】棒状締結部材を示す側面図及び背面図。
【図９】本発明の第２の実施の形態の形態における陰極側ヒートシンクを所定の装着位置に設定する途中と、装着状態に設定した状態を正面側から見た状態で示す断面図。
【図１０】本発明の第３の実施の形態の形態における締結構造の主要部を示す斜視図。
【図１１】陽極側電極ブロックの形状を示す図。
【図１２】棒状締結部材を設けた陽極側ヒートシンクを示す側面図。
【符号の説明】
１…内視鏡用光源装置
２…シャーシ
３…光学ベース
３Ａ…ガイド溝
３Ｂ…切り欠き
４…ランプハウス
５…キセノンランプ
６Ａ…陽極側ヒートシンク
６Ｂ…陰極側ヒートシンク
７…集光レンズ
９…ライトガイド
１１…ランプ交換扉
１２…棒状締結部材
１３Ａ…陽極側電極ブロック
１３Ｂ…陰極側電極ブロック
１４…両壁面（突出面）
２１…孔
２２…締結バネ
２３…円筒部
２７…ガイド孔
２８…突起部
２９…摘み部
３１…締結用溝部
３５…板バネ
【図１】
0003579302.tif 000002
【図２】
0003579302.tif 000003
【図３】
0003579302.tif 000004
【図４】
0003579302.tif 000005
【図５】
0003579302.tif 000006
【図６】
0003579302.tif 000007
【図７】
0003579302.tif 000008
【図８】
0003579302.tif 000009
【図９】
0003579302.tif 000010
【図１０】
0003579302.tif 000011
【図１１】
0003579302.tif 000012
【図１２】
0003579302.tif 000013